(57)【要約】【課題】配電盤の複数の構成要素を別個に運搬すること。【解決手段】底部２０に設けられた車輪２３により移動可能に構成され、底部２０に設けられたマスト２４により底部２０に近接離反する態様で昇降自在に案内される荷台部４０に配電盤１の引出型遮断器２を載置させて運搬する運搬用カート１０であって、荷台部４０に着脱可能に設けられ、かつ荷台部４０に装着される場合に配電盤１の遮断器ケーブル３を支持可能なアタッチメント部材５０を備えたことを特徴とする。アタッチメント部材５０は、遮断器ケーブル３を吊り下げた状態で支持することが好ましい。【選択図】図１
2017210298.tif 000002
【特許請求の範囲】
【請求項１】
底部に設けられた車輪により移動可能に構成され、かつ前記底部に設けられたマストにより該底部に近接離反する態様で昇降自在に案内される荷台部に配電盤の第１構成要素を載置させて運搬する運搬用カートであって、
前記荷台部に着脱可能に設けられ、かつ該荷台部に装着される場合に前記配電盤の第２構成要素を支持可能なアタッチメント部材を備えたことを特徴とする運搬用カート。
【請求項２】
前記アタッチメント部材は、前記第２構成要素を吊り下げた状態で支持可能であることを特徴とする請求項１に記載の運搬用カート。
【請求項３】
前記第２構成要素は、前記配電盤において前記第１構成要素を支持する態様で配置されることを特徴とする請求項１又は請求項２に記載の運搬用カート。
【請求項４】
前記第１構成要素は、引出型遮断器であり、前記第２構成要素は、接地開閉器操作器を付属する遮断器テーブルであることを特徴とする請求項３に記載の運搬用カート。
【発明の詳細な説明】
【技術分野】
【０００１】
本発明は、運搬用カートに関し、より詳細には、例えば配電盤の構成要素の運搬に用いられる運搬用カートに関するものである。
【背景技術】
【０００２】
従来、例えば配電盤の構成要素の運搬に用いられる運搬用カートとして、底部に設けられた車輪により移動可能なものであり、マストと、昇降体と、荷役フォークとを備えて構成されるものが知られている。
【０００３】
マストは、底部より上方に向けて延在する態様で設けられており、上下方向が長手方向となるものである。昇降体は、マストに設けられた昇降機構によって底部に近接離反する態様で昇降可能なものである。つまり、昇降体は、マストにより該マストの延在方向に沿って昇降自在に案内されるものである。荷役フォークは、昇降体に取付枠を介して水平方向に突出する態様で取り付けられており、左右一対となるものである。これら荷役フォークは、昇降体とともに昇降可能なものである。
【０００４】
このような構成を有する運搬用カートでは、配電盤の構成要素である例えば引出型遮断器を荷役フォークで吊り下げた状態で支持することで該配電盤に向けての運搬、あるいは該配電盤から離脱するための運搬に用いられている（例えば、特許文献１参照）。
【先行技術文献】
【特許文献】
【０００５】
【特許文献１】特開昭６３−１２３５３９号公報
【発明の概要】
【発明が解決しようとする課題】
【０００６】
ところで、上述した運搬用カートは、その構成の特性上、配電盤の例えば引出型遮断器等の決められた構成要素の運搬にしか用いられず、他の構成要素の運搬には用いられなかった。
【０００７】
本発明は、上記実情に鑑みて、配電盤の複数の構成要素を別個に運搬することができる運搬用カートを提供することを目的とする。
【課題を解決するための手段】
【０００８】
上記目的を達成するために、本発明に係る運搬用カートは、底部に設けられた車輪により移動可能に構成され、かつ前記底部に設けられたマストにより該底部に近接離反する態様で昇降自在に案内される荷台部に配電盤の第１構成要素を載置させて運搬する運搬用カートであって、前記荷台部に着脱可能に設けられ、かつ該荷台部に装着される場合に前記配電盤の第２構成要素を支持可能なアタッチメント部材を備えたことを特徴とする。
【０００９】
また本発明は、上記運搬用カートにおいて、前記アタッチメント部材は、前記第２構成要素を吊り下げた状態で支持可能であることを特徴とする。
【００１０】
また本発明は、上記運搬用カートにおいて、前記第２構成要素は、前記配電盤において前記第１構成要素を支持する態様で配置されることを特徴とする。
【００１１】
また本発明は、上記運搬用カートにおいて、前記第１構成要素は、引出型遮断器であり、前記第２構成要素は、接地開閉器操作器を付属する遮断器テーブルであることを特徴とする。
【発明の効果】
【００１２】
本発明によれば、底部に近接離反する態様で昇降自在な荷台部が配電盤の第１構成要素を載置させることができるとともに、荷台部に装着されたアタッチメント部材が配電盤の第２構成要素を支持可能であるので、配電盤から第１構成要素と第２構成要素とを別個に搬出することができるとともに、配電盤に対して第１構成要素と第２構成要素とを別個に搬入することができる。従って、配電盤の複数の構成要素を別個に運搬することができるという効果を奏する。
【図面の簡単な説明】
【００１３】
【図１】図１は、本発明の実施の形態である運搬用カートを示す側面図である。
【図２】図２は、本発明の実施の形態である運搬用カートを示す平面図である。
【図３】図３は、図１におけるＡ−Ａ線断面図である。
【図４】図４は、図１におけるＢ−Ｂ線断面図である。
【図５】図５は、図１に示した運搬用カートが引出型遮断器を載置するとともに遮断器テーブルを支持する状態を示す側面図である。
【図６】図６は、図１に示した運搬用カートが引出型遮断器を載置するとともに遮断器テーブルを支持する状態を示す断面図である。
【図７】図７は、図１に示した運搬用カートが引出型遮断器及び遮断器テーブルを搬出する動作を模式的に示す説明図である。
【図８】図８は、図１に示した運搬用カートが引出型遮断器及び遮断器テーブルを搬出する動作を模式的に示す説明図である。
【図９】図９は、図１に示した運搬用カートが引出型遮断器及び遮断器テーブルを搬出する動作を模式的に示す説明図である。
【図１０】図１０は、図１に示した運搬用カートが引出型遮断器及び遮断器テーブルを搬出する動作を模式的に示す説明図である。
【図１１】図１１は、図１に示した運搬用カートが引出型遮断器及び遮断器テーブルを搬出する動作を模式的に示す説明図である。
【図１２】図１２は、図１に示した運搬用カートが引出型遮断器及び遮断器テーブルを搬出する動作を模式的に示す説明図である。
【図１３】図１３は、図１に示した運搬用カートが引出型遮断器及び遮断器テーブルを搬出する動作を模式的に示す説明図である。
【図１４】図１４は、図１に示した運搬用カートが引出型遮断器及び遮断器テーブルを搬出する動作を模式的に示す説明図である。
【図１５】図１５は、図１に示した運搬用カートが引出型遮断器及び遮断器テーブルを搬出する動作を模式的に示す説明図である。
【図１６】図１６は、図１に示した運搬用カートが引出型遮断器及び遮断器テーブルを搬入する動作を模式的に示す説明図である。
【図１７】図１７は、図１に示した運搬用カートが引出型遮断器及び遮断器テーブルを搬入する動作を模式的に示す説明図である。
【図１８】図１８は、図１に示した運搬用カートが引出型遮断器及び遮断器テーブルを搬入する動作を模式的に示す説明図である。
【図１９】図１９は、図１に示した運搬用カートが引出型遮断器及び遮断器テーブルを搬入する動作を模式的に示す説明図である。
【図２０】図２０は、図１に示した運搬用カートが引出型遮断器及び遮断器テーブルを搬入する動作を模式的に示す説明図である。
【図２１】図２１は、図１に示した運搬用カートが引出型遮断器及び遮断器テーブルを搬入する動作を模式的に示す説明図である。
【発明を実施するための形態】
【００１４】
以下に添付図面を参照して、本発明に係る運搬用カートの好適な実施の形態について詳細に説明する。
【００１５】
図１及び図２は、それぞれ本発明の実施の形態である運搬用カートを示すものであり、図１は側面図であり、図２は平面図である。ここで例示する運搬用カート１０は、配電盤１（図７等参照）の構成要素を運搬するものであり、底部２０と、昇降体３０と、荷台部４０とを備えて構成されている。
【００１６】
底部２０は、前後方向が長手方向となる左右一対の長尺状部２１の後端部同士を連結部２２で連結されて成るもので、長尺状部２１及び連結部２２に車輪２３が設けられている。かかる車輪２３により運搬用カート１０は移動可能なものである。この底部２０には、マスト２４が設けられている。マスト２４は、長尺状部２１を跨るように設けられており、底部２０より上方に向けて延在するものである。
【００１７】
昇降体３０は、マスト２４に設けられた昇降機構３１に連係されており、該昇降機構３１を構成する操作部３１ａが操作軸部３１ｂの中心軸回りに一方向に回転させられる場合には、マスト２４に沿って上方に向けて移動する一方、上記操作部３１ａが操作軸部３１ｂの中心軸回りに他方向に回転させられる場合には、マスト２４に沿って下方に向けて移動するものである。尚、昇降体３０や昇降機構３１は従来公知のものであるので、詳細な説明は割愛する。
【００１８】
荷台部４０は、取付枠部３２を介して昇降体３０に取り付けられている。上述したように、昇降体３０は、昇降機構３１によりマスト２４に沿って上下方向に移動するものであるから、荷台部４０は、底部２０に近接離反する態様でマスト２４により昇降自在に案内されるものである。このような荷台部４０は、略矩形状の鋼板の左右両端部が上方に向けて屈曲等されることにより形成されるもので、上面は上記構成要素の載置面を構成している。
【００１９】
図３は、図１におけるＡ−Ａ線断面図であり、図４は、図１におけるＢ−Ｂ線断面図である。これら図３及び図４も適宜用いて荷台部４０の構成について説明する。上記荷台部４０は、ガイド部材４１及びアタッチメント部材５０を備えて構成されている。
【００２０】
ガイド部材４１は、複数（図示の例では２つ）設けられており、前後方向が長手方向となる長尺板状部材である。これらガイド部材４１は、荷台部４０の上面の左右両端部において、左右一対となる態様で設けられている。ガイド部材４１は、荷台部４０に上記構成要素が載置、あるいは該荷台部４０から上記構成要素が送出される場合に、該構成要素に付設されたキャスタの転動方向を案内するものである。尚、これらガイド部材４１の後端部の近傍においては車輪止め４２が設けられている。
【００２１】
アタッチメント部材５０は、互いに左右一対となる左方の支持板（以下、左側支持板ともいう）５１と、右方の支持板（以下、右側支持板ともいう）５２とを備えている。
【００２２】
左側支持板５１は、例えば鋼板が屈曲等されて構成されるもので、前後方向が長手方向となる長尺状部材である。この左側支持板５１は、左側基部５１１と、左側当接部５１２と、左側支持部５１３とが一体的に形成されて成るものである。
【００２３】
左側基部５１１は、上下方向に沿って延在する部分である。左側当接部５１２は、左側基部５１１の上端縁部より右方に向けて延在する部分である。左側支持部５１３は、左側基部５１１の下端縁部より左方に向けて延在する部分である。この左側支持部５１３の後端部分には左側ストッパ片５１４が設けられている。
【００２４】
右側支持板５２は、例えば鋼板が屈曲等されて構成されるもので、前後方向が長手方向となる長尺状部材である。この右側支持板５２は、右側基部５２１と、右側当接部５２２と、右側支持部５２３とが一体的に形成されて成るものである。
【００２５】
右側基部５２１は、上下方向に沿って延在する部分である。右側当接部５２２は、右側基部５２１の上端縁部より左方に向けて延在する部分である。右側支持部５２３は、右側基部５２１の下端縁部より右方に向けて延在する部分である。この右側支持部５２３の後端部分には右側ストッパ片５２４が設けられている。
【００２６】
これら左側支持板５１と右側支持板５２とは、左側基部５１１の前端部と右側基部５２１の前端部とが前方の補強板５５で連結されているとともに、左側基部５１１の後端部と右側基部５２１の後端部とが後方の補強板５６で連結されることによりアタッチメント部材５０を構成している。
【００２７】
そして、アタッチメント部材５０は、左側支持板５１の左側当接部５１２が荷台部４０の左端部の下面に接した状態で締結部材Ｎにより締結されるとともに、右側支持板５２の右側支持部５２３が荷台部４０の右端部の下面に接した状態で締結部材Ｎにより締結されることにより、荷台部４０に取り付けられている。つまり、アタッチメント部材５０は、荷台部４０に対する締結部材Ｎによる締結力を解除することにより荷台部４０から離脱させることができ、これにより荷台部４０に対して着脱可能に設けられている。
【００２８】
以上のような構成を有する運搬用カート１０においては、図５及び図６に示すように、荷台部４０の上面において配電盤１の第１構成要素となる引出型遮断器２を、該引出型遮断器のキャスタ２ａをガイド部材４１で案内可能な状態で載置可能である。尚、車輪止め４２により引出型遮断器２の後方側への移動は規制可能である。
【００２９】
また、運搬用カート１０においては、図５及び図６に示すように、アタッチメント部材５０を荷台部４０に装着する場合、次のようにして遮断器テーブル３を支持することが可能である。すなわち、運搬用カート１０においては、配電盤１の第２構成要素となる遮断器テーブル３を、該遮断器テーブル３を構成するフック部材３ａが左側支持板５１の左側支持部５１３及び右側支持板５２の右側支持部５２３に係止することにより吊り下げた状態で支持することが可能である。尚、左側ストッパ片５１４及び右側ストッパ片５２４により遮断器テーブル３の後方側への移動は規制可能である。ここで遮断器テーブル３は、配電盤１において引出型遮断器２を支持する態様で配置されるものであり、接地開閉器操作器を付属する重量物である。
【００３０】
次に、上記運搬用カート１０を用いて適用対象となる配電盤１から引出型遮断器２及び遮断器テーブル３を搬出する場合について図７〜図１５を用いて説明する。
【００３１】
図７に示すように、搬出対象となる引出型遮断器２及び遮断器テーブル３が収納された配電盤１に対して運搬用カート１０を近接させる。尚、この運搬用カート１０においては、アタッチメント部材５０が荷台部４０から取り外されている。配電盤１に近接させられた運搬用カート１０は、昇降機構３１の操作部３１ａが回転されることにより、図８に示すように荷台部４０の高さレベルが該配電盤１における引出型遮断器２の支持面と同一の高さレベルに調整される。このとき、図には明示しないが荷台部４０の先端部分が遮断器テーブル３に当接される。そして、図９に示すように、引出型遮断器２が荷台部４０に移動させられる。これにより、荷台部４０の上面に引出型遮断器２が載置される。
【００３２】
このようにして引出型遮断器２を荷台部４０に載置する運搬用カート１０を、図１０に示すように、移動させることにより、引出型遮断器２を搬出することができる。
【００３３】
そして、図１１に示すように、搬出対象となる遮断器テーブル３が収納された配電盤１に対して運搬用カート１０を近接させる。尚、この運搬用カート１０においては、アタッチメント部材５０が荷台部４０に装着されている。配電盤１に近接させられた運搬用カート１０は、昇降機構３１の操作部３１ａが回転されることにより、図１２に示すように、荷台部４０が上方に向けて移動してアタッチメント部材５０における左側支持部５１３及び右側支持部５２３の高さレベルが遮断器テーブル３におけるフック部材３ａと同一の高さレベルに調整される。その後、遮断器テーブル３が、図１３に示すように、フック部材３ａが左側支持部５１３及び右側支持部５２３に係止するようアタッチメント部材５０に移動させられ、図１４に示すように、アタッチメント部材５０により吊り下げられた状態で支持される。
【００３４】
このようにして遮断器テーブル３をアタッチメント部材５０により吊り下げた状態で支持する運搬用カート１０を、図１５に示すように、移動させることにより、遮断器テーブル３を搬出することができる。
【００３５】
更に、上記運搬用カート１０を用いて適用対象となる配電盤１に対し引出型遮断器２及び遮断器テーブル３を搬入する場合について図１６〜図２１を用いて説明する。
【００３６】
図１６に示すように、搬入対象となる遮断器テーブル３を吊下支持する運搬用カート１０を所定の配電盤１に近接させる。配電盤１に近接させられた運搬用カート１０は、昇降機構３１の操作部３１ａが回転されることにより荷台部４０の高さレベルが調整され、図１７に示すように遮断器テーブル３がアタッチメント部材５０から離脱するように移動させられることで配電盤１に収納される。
【００３７】
図１８に示すように、遮断器テーブル３が配電盤１に収納された後、運搬用カート１０は、配電盤１から離隔させる。そして、図１９に示すように、搬入対象となる引出型遮断器２を載置する運搬用カート１０を所定の配電盤１に近接させる。配電盤１に近接させられた運搬用カート１０は、昇降機構３１の操作部３１ａが回転されることにより、図２０に示すように、荷台部４０が下方に向けて移動して該荷台部４０の高さレベルが調整される。このとき、図には明示しないが荷台部４０の先端部分が遮断器テーブル３に当接される。そして、引出型遮断器２が荷台部４０から離脱するように移動させられることで、図２１に示すように、遮断器テーブル３に支持されるよう引出型遮断器２が配電盤１に収納される。これにより、配電盤１に対して引出型遮断器２及び遮断器テーブル３を搬入することができる。
【００３８】
以上説明したように、本発明の実施の形態である運搬用カート１０によれば、荷台部４０が引出型遮断器２を載置させることができるとともに、該荷台部４０に装着されたアタッチメント部材５０が遮断器テーブル３を吊り下げた状態で支持することができるので、配電盤１から引出型遮断器２と遮断器テーブル３とを別個に搬出することができるとともに、配電盤１に対して引出型遮断器２と遮断器テーブル３とを別個に搬入することができる。従って、配電盤１の引出型遮断器２と遮断器テーブル３との複数の構成要素を別個に運搬することができる。
【００３９】
このように配電盤１の複数の構成要素（引出型遮断器２及び遮断器テーブル３）を運搬用カート１が別個に運搬することができるので、運搬作業の作業効率を向上させることができる。特に、重量物である遮断器テーブル３を運搬できるので、作業効率の向上はより顕著となる。
【００４０】
上記運搬用カート１０によれば、アタッチメント部材５０が荷台部４０に対して着脱可能に設けられているので、運搬対象物により該アタッチメント部材５０が不要となる場合には荷台部４０からアタッチメント部材５０を離脱させて用いることができ、汎用性にも優れたものとすることができる。
【００４１】
以上、本発明の好適な実施の形態について説明したが、本発明はこれに限定されるものではなく種々の変更を行うことができる。
【００４２】
上述した実施の形態では、アタッチメント部材５０が遮断器テーブル３を吊り下げた状態で支持するものであったが、本発明においては、アタッチメント部材による配電盤の第２構成要素の支持の形態は特に限定されるものではなく、第２構成要素の構成に応じて支持の形態を種々に変更することができる。
【００４３】
上述した実施の形態では、配電盤１の引出型遮断器２を第１構成要素とし、遮断器テーブル３を第２構成要素として説明したが、本発明においては、これら引出型遮断器及び遮断器テーブル以外の構成機器を第１構成要素及び第２構成要素として運搬してもよい。
【符号の説明】
【００４４】
１  配電盤
２  引出型遮断器（第１構成要素）
３  遮断器テーブル（第２構成要素）
１０  運搬用カート
２０  底部
２３  車輪
２４  マスト
３０  昇降体
３１  昇降機構
４０  荷台部
４１  ガイド部材
５０  アタッチメント部材
５１  左側支持板
５１１  左側基部
５１２  左側当接部
５１３  左側支持部
５１４  左側ストッパ片
５２  右側支持板
５２１  右側基部
５２２  右側当接部
５２３  右側支持部
５２４  右側ストッパ片
【図１】
2017210298.tif 000003
【図２】
2017210298.tif 000004
【図３】
2017210298.tif 000005
【図４】
2017210298.tif 000006
【図５】
2017210298.tif 000007
【図６】
2017210298.tif 000008
【図７】
2017210298.tif 000009
【図８】
2017210298.tif 000010
【図９】
2017210298.tif 000011
【図１０】
2017210298.tif 000012
【図１１】
2017210298.tif 000013
【図１２】
2017210298.tif 000014
【図１３】
2017210298.tif 000015
【図１４】
2017210298.tif 000016
【図１５】
2017210298.tif 000017
【図１６】
2017210298.tif 000018
【図１７】
2017210298.tif 000019
【図１８】
2017210298.tif 000020
【図１９】
2017210298.tif 000021
【図２０】
2017210298.tif 000022
【図２１】
2017210298.tif 000023